(57)【特許請求の範囲】
【請求項１】
遊技球を払い出す払い出し手段（４８）と、該払い出し手段（４８）から払い出された遊技球を遊技球供給皿（１５）側に案内する払い出し通路（１０２）とを備え、前記払い出し通路（１０２）に、前記払い出し手段（４８）から払い出された遊技球を導入する導入口（１０４）と、該導入口（１０４）に導入された遊技球を前記遊技球供給皿（１５）側に案内する案内通路（１０５）とを設けた弾球遊技機において、前記案内通路（１０５）は、前記払い出し手段（４８）から払い出された遊技球を一列状に整列した状態で前記遊技球供給皿（１５）側に案内するように構成し、前記案内通路（１０５）は並行して複数設けられ、前記払い出し通路（１０２）に、前記複数の案内通路（１０５Ｌ）（１０５Ｒ）間を区画する区画板（１１２）を設け、該区画板（１１２）は、前記導入口（１０４）から前記払い出し手段（４８）側に突出する突出区画板（１１９）を一体に備え、該突出区画板（１１９）により前記払い出し手段（４８）を複数の払い出し口（８４Ｌ）（８４Ｒ）に区画したことを特徴とする弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機等の弾球遊技機では、遊技機本体に、遊技球タンク、球供給通路、払い出し手段、払い出し通路、及び遊技球供給皿が直列に接続されて設けられており、遊技領域内の入賞手段に遊技球が入賞して賞球の払い出し要求があった場合には、払い出し制御手段の制御により払い出し手段が作動して、遊技球タンクから球供給通路を経て供給される遊技球を払い出し通路を経由して遊技球供給皿へと高速で払い出すようになっている。
【０００３】
【発明が解決しようとする課題】
従来の弾球遊技機では、払い出し手段から払い出された遊技球が払い出し通路内を高速で流下するようになっているため、例えば遊技球と通路壁面との摩擦等によって遊技球に電荷が蓄積されやすく、また電荷が蓄積された遊技球同士の激しい衝突等によって放射ノイズが発生しやすいという問題があった。発生したノイズが制御基板等の電子機器に飛来すると、誤動作等の不具合を引き起こす可能性がある。
【０００４】
本発明は、このような問題点に鑑み、払い出し動作時の払い出し通路におけるノイズの発生を抑え、制御基板等の誤動作を防止できる弾球遊技機を提供することを目的とする。
【０００５】
【課題を解決するための手段】
本発明は、遊技球を払い出す払い出し手段４８と、該払い出し手段４８から払い出された遊技球を遊技球供給皿１５側に案内する払い出し通路１０２とを備え、前記払い出し通路１０２に、前記払い出し手段４８から払い出された遊技球を導入する導入口１０４と、該導入口１０４に導入された遊技球を前記遊技球供給皿１５側に案内する案内通路１０５とを設けた弾球遊技機において、前記案内通路１０５は、前記払い出し手段４８から払い出された遊技球を一列状に整列した状態で前記遊技球供給皿１５側に案内するように構成し、前記案内通路１０５は並行して複数設けられ、前記払い出し通路１０２に、前記複数の案内通路１０５Ｌ，１０５Ｒ間を区画する区画板１１２を設け、該区画板１１２は、前記導入口１０４から前記払い出し手段４８側に突出する突出区画板１１９を一体に備え、該突出区画板１１９により前記払い出し手段４８を複数の払い出し口８４Ｌ，８４Ｒに区画したものである。
【０００７】
【発明の実施の形態】
以下、本発明の実施形態を図面に基づいて詳述する。図１〜図１３は、本発明をパチンコ機として具現化した第１の実施形態を例示している。図１及び図２において、１は遊技機本体で、矩形枠状の外枠２と、この外枠２の前側に上下一対のヒンジ３を介して開閉自在に装着された前枠４とを備えている。
【０００８】
前枠４には、その裏側の遊技盤装着枠１１を介して遊技盤１２が裏側から着脱自在に装着され、また遊技盤１２の前側にガラス扉１３と前面板１４とが上下に隣接して開閉自在に配置されている。前面板１４には、発射用の遊技球を貯留する上皿（遊技球供給皿）１５と、この上皿１５を前側から覆う上皿カバー１６とが装着されている。また、前枠４の下部には、余剰球を貯留する下皿１７と、発射手段１８の発射ハンドル１９とが夫々設けられている。
【０００９】
前枠４の裏側には、図２に示すように、裏機構板２４が遊技盤装着枠１１に対して上下一対のヒンジ２５により開閉自在に枢着され、この裏機構板２４により遊技盤装着枠１１内の遊技盤１２が裏側から押圧されて着脱自在に固定されている。裏機構板２４は、閉状態では遊技盤装着枠１１に複数個の締結手段１１ａにより締結されている。
【００１０】
遊技盤１２には、図１に示すように、その前面側に発射手段１８によって発射された遊技球を案内するガイドレール２６が環状に装着されると共に、そのガイドレール２６内の遊技領域２７に、通過ゲート等よりなる普通図柄始動手段２８、７セグメント式の表示手段等よりなる普通図柄表示手段２９、特別図柄表示手段３０を構成する液晶表示手段３１、電動チューリップ等よりなる特別図柄始動手段３２、大入賞手段３３、普通入賞手段３４、その他の遊技部品が配置され、また裏側には液晶表示手段３１等の遊技部品を裏側から覆う裏カバー３５が装着されている。裏カバー３５の下部には、図５に示すように、大入賞手段３３等の入賞手段によって遊技盤１２の裏面側に案内された遊技球を排出口３６側に集める集球部３７が一体に設けられている。
【００１１】
裏カバー３５の裏側には、主に遊技盤１２側の遊技動作を制御する主制御手段４１と、遊技状態に応じて遊技盤１２側の遊技部品等の表示ランプを発光制御するランプ制御手段４２と、遊技状態に応じてスピーカからの効果音を制御する音声制御手段４３とが設けられている。なお、各制御手段４１〜４３は、夫々内部を透視可能な基板ケース内に収納された制御基板により構成されており、その基板ケースが裏カバー３５の裏面側に着脱自在に取り付けられている。
【００１２】
遊技盤装着枠１１は門型状であって、前枠４の窓孔４ａを外側から取り囲むように前枠４の裏側に固定されている。また、遊技盤装着枠１１の下部は、前枠４の裏側に固定された遊技盤支承板４４に接続され、この遊技盤支承板４４により遊技盤１２を下側から支承するようになっている。
【００１３】
裏機構板２４には、裏カバー３５が嵌合する開口部４５が略中央部分に形成され、開口部４５の上下両側に上横板部２４ａと下横板部２４ｂとを、開口部４５の左右両側に左縦板部２４ｃと右縦板部２４ｄとを夫々有している。そして、開口部４５は、ヒンジ２５側にある左縦板部２４ｃが広幅となり、反対側にある右縦板部２４ｄが狭幅となるように、左右方向の中央よりも右側に偏位した位置に形成されている。
【００１４】
裏機構板２４の裏側には、上横板部２４ａに遊技球タンク４６と球供給通路４７とが、左縦板部２４ｃに払い出し手段４８が、左縦板部２４ｃから下横板部２４ｂにかけて通路ユニット４９が夫々設けられ、通路ユニット４９の後側に設置部５０が配置されている。
【００１５】
設置部５０は、前枠４等を含む枠側の機器を制御する枠側制御手段を設置するためのもので、裏機構板２４の裏側に設けられた取り付け板５１により構成されている。取り付け板５１には、払い出し制御手段５２と電源手段５３とが裏側から着脱自在に取り付けられている。尚、裏機構板２４に取り付けられた通路ユニット４９の裏側をそのまま設置部５０としても良い。
【００１６】
払い出し制御手段５２は、主制御手段４１からの払い出しコマンド等があったときに、そのコマンドを解析して払い出し手段４８を制御するためのもので、払い出し基板５４により構成されている。また、電源手段５３は、各所要部位に必要な電源を供給するためのもので、電源基板５５により構成されている。払い出し基板５４、電源基板５５は基板ケース５６内に収納され、また基板ケース５６は取り付け板５１の裏側に着脱自在に装着されている。
【００１７】
遊技球タンク４６は、島側の遊技球補給装置から供給される遊技球を貯留するためのもので、例えば左右方向の一端側、例えば右端側で球供給通路４７に連通している。球供給通路４７は、遊技球タンク４６の遊技球を払い出し手段４８へと供給するためのもので、遊技球タンク４６側から払い出し手段４８側に向けて徐々に低くなるように緩やかに傾斜され、遊技球がその自重によって払い出し手段４８方向に自然に流下するようになっている。球供給通路４７には、並行する２列の横通路５７が前後に配設されており、それら２列の横通路５７の最下流部分は払い出し手段４８の左右２つの遊技球案内通路５８にそれぞれ連通している。
【００１８】
払い出し手段４８は、遊技盤１２側で遊技球が入賞手段に入賞したときに賞球の払い出しを、遊技者が例えば上皿カバー１６等に設けられた球貸しスイッチを操作したときに貸球の払い出しを夫々行うためのものであり、図３及び図４に示すように、裏機構板２４に上下方向に配置されたケース６１と、このケース６１内に回転自在に支持された回転体６２と、回転体６２を駆動する繰り出しモータ６３とを備え、球供給通路４７側からケース６１内に供給された遊技球を回転体６２の回転によりケース６１から通路ユニット４９側に払い出すようになっている。
【００１９】
ケース６１は縦長の略矩形箱状で、左右一対のケース本体６４と、ケース６１内で各ケース本体６４間に上下方向に配置された中間の側壁６５とにより構成され、ケース本体６４同士を突き合わせた状態でネジ等により一体化されている。
【００２０】
ケース６１の内部は中間の側壁６５によって左右２列の払い出し室に区画され、各払い出し室には、球供給通路４７に連通する遊技球案内通路５８が上部側に、通路ユニット４９に連通する払い出し通路６６が下部側に、回転体６２を収容する収容室６７が遊技球案内通路５８と払い出し通路６６との間に夫々設けられている。
【００２１】
収容室６７は収容壁６８に囲まれており、この収容壁６８は、左右のケース本体６４の側壁６９と、左右の両側壁６９間で回転体６２の外周に沿って周方向に配置された周壁７０とを備えている。左右の一方のケース本体６４の側壁６９は、収容室６７内に突出する円筒状の軸部７１が左右方向に一体に形成され、この軸部７１に回転体６２が回転自在に支持されている。
【００２２】
周壁７０は、中間の側壁６５に略当接するように両側壁６９から左右方向の内側に突出しており、回転体６２の上側の上周壁部７０ａと下側の下周壁部７０ｂとを備えている。上周壁部７０ａと下周壁部７０ｂとの間には、遊技球案内通路５８及び払い出し通路６６に連通する供給口７２及び繰り出し口７３が形成されている。
【００２３】
回転体６２は、その上側を経て供給口７２から繰り出し口７３へと遊技球を繰り出すためのもので、一方のケース本体６４側の軸部７１に他方側から外嵌し、軸部７１に内嵌する繰り出しモータ６３の回転軸に連結されている。なお、繰り出しモータ６３は、一方のケース本体６４の外側に取り付けられている。
【００２４】
回転体６２は、その軸方向（左右方向）の中央部に形成された大径部６２ｂと、この大径部６２ｂの両端部側に形成された小径部６２ａとを略同心状に備え、その大径部６２ｂの外周に、遊技球が入る繰り出し凹部７４が周方向に等間隔を置いて複数個（例えば６個）形成されている。
【００２５】
繰り出し凹部７４は左右２列の払い出し室に対応して左右に２列設けられ、これらの繰り出し凹部７４は互いに周方向に半ピッチずれており、繰り出し凹部７４内の遊技球を交互に繰り出すようになっている。
【００２６】
繰り出し口７３は、繰り出し凹部７４の遊技球が回転体６２の回転によって自然に落下する位置に対応して回転体６２の回転方向の所要範囲に亘って形成されている。なお、払い出し通路６６の繰り出し口７３側は、繰り出し口７３から繰り出された遊技球が円滑に流下するように後方に張り出している。
【００２７】
遊技球案内通路５８の下部側には球抜き手段７５が開閉可能に設けられ、図外の操作レバーを操作したときに球抜き手段７５が開状態となり、遊技球タンク４６から遊技球案内通路５８に亘って案内された遊技球を、球抜き手段７５から球抜き通路７６、通路ユニット４９を介して島側に回収できるようになっている。なお、球抜き通路７６は、収容室６７、払い出し通路６６等の前側に下向きに設けられている。
【００２８】
払い出し通路６６の下流側には、賞球払い出し通路７７と貸球払い出し通路７８とが前後に形成され、これらの払い出し通路７７，７８の上流側に、回転体６２から繰り出された遊技球を、賞球或いは貸球に対応して賞球払い出し通路７７或いは貸球払い出し通路７８に案内するように切り替える払い出し切り替え手段７９が設けられている。払い出し切り替え手段７９は、左右のケース本体６４に対して、左右方向の回転軸７９ａにより揺動自在に支持されており、例えばケース本体６４の一側に装着されたソレノイド（図示省略）の駆動により前後に揺動され、遊技球の案内方向を切り替えるようになっている。
【００２９】
賞球払い出し通路７７、貸球払い出し通路７８には、回転体６２側から繰り出された遊技球を検出する検出スイッチ８２，８３が設けられ、賞球として繰り出された遊技球の個数、貸球として繰り出された遊技球の個数をそれぞれ確認するようになっている。賞球払い出し通路７７及び貸球払い出し通路７８の下端部は、払い出し口８４に連通している。なお、側壁６５は検出スイッチ８２，８３よりも上側、即ち払い出し口８４よりも上流側に配置されている。
【００３０】
払い出し口８４は、その後面８４ａの少なくとも一部分が前下がりの傾斜状に形成されており、後述する通路ユニット４９側の突出区画板１１９によって左右の払い出し口８４Ｌ，８４Ｒに区画されている。
【００３１】
通路ユニット４９は、払い出し手段４８から払い出された遊技球を上皿１５側に案内する払い出し案内通路９１と、上皿１５の遊技球が満杯状態の時に、払い出し手段４８から払い出される遊技球を下皿１７に溢流させる溢流案内通路９２と、島側に遊技球を回収する遊技球回収通路９３と、払い出し手段４８側からの遊技球の抜き取り時に、この払い出し手段４８からの遊技球を遊技球回収通路９３に案内する球抜き案内通路９４と、ゲーム時に遊技盤１２の後側に通過した遊技球を遊技球回収通路９３に案内する回収案内通路９５と、溢流案内通路９２から落下する遊技球を下皿１７側に案内する落下案内通路９６とを備え、図９及び図１０に示すように、裏機構板２４側に一体に形成された前構造体１０１と、この前構造体１０１の後側に着脱自在に装着される払い出し通路ユニット１０２及び下部通路カバー１０３とで構成されている。
【００３２】
払い出し通路ユニット１０２と下部通路カバー１０３とは前構造体１０１に対して個別に着脱可能で且つ上下に隣接して配置され、前構造体１０１の上部側、例えば裏機構板２４の開口部４５の下縁部に沿った水平ラインよりも上側を払い出し通路ユニット１０２により、それよりも下側を下部通路カバー１０３により、夫々後側から覆うようになっている。
【００３３】
払い出し通路ユニット１０２は、払い出し案内通路９１の主要部、即ち導入口１０４と案内通路１０５等を構成するもので、図１１に示すように、通路壁部材１０６と、この通路壁部材１０６の後側を覆う通路カバー部材１０７とを分離可能に備えており、それら通路壁部材１０６と通路カバー部材１０７とを前後に組み合わせた状態で、ネジ等の固定手段により前構造体１０１の裏側に着脱自在に固定されている。払い出し通路ユニット１０２を構成する通路壁部材１０６と通路カバー部材１０７とは、夫々導電性樹脂により一体に形成されている。
【００３４】
導入口１０４は、払い出し手段４８から払い出された遊技球を案内通路１０５側に導入するもので、払い出し手段４８側の払い出し口８４の下側に接続されており、上端側の両側部及び後部側の縁部には払い出し手段４８側の払い出し口８４の外側に嵌合する嵌合リブ１０４ａが一体に形成されている。
【００３５】
案内通路１０５は、導入口１０４に導入された遊技球を流下させて上皿１５側に案内するもので、上下方向に設けられた縦通路部１０８と、この縦通路部１０８の下端側に接続され且つ右斜め下向きに傾斜する傾斜通路部１０９とを備えた略Ｌ型に形成されている。
【００３６】
これら導入口１０４と案内通路１０５とは、通路壁部材１０６側の平板状の仕切壁１１０と、この仕切壁１１０の後側を覆う通路カバー部材１０７側の断面略コの字型の膨出壁１１１とで構成されている。なお、縦通路部１０８は、球抜き案内通路９４の後側に隣接して平行に配設されており、この縦通路部１０８に対応する仕切壁１１０の縦板部１１０ａは、球抜き案内通路９４の後側を覆い且つ球抜き案内通路９４と縦通路部１０８とを前後に仕切っている。
【００３７】
案内通路１０５は、たとえば図７に示すように、隣接して並行する２つの左案内通路１０５Ｌと右案内通路１０５Ｒとで構成され、それら２つの案内通路１０５Ｌ，１０５Ｒは通路壁部材１０６側の区画板１１２により区画されている。更に、導入口１０４も区画板１１２によって２つの左導入口１０４Ｌと右導入口１０４Ｒとに区画されており、左導入口１０４Ｌが左案内通路１０５Ｌに、右導入口１０４Ｒが右案内通路１０５Ｒに、夫々連通している。
【００３８】
区画板１１２は、仕切壁１１０の後側に垂直に突出するように一体に設けられ、通路壁部材１０６と通路カバー部材１０７とを組み合わせたとき、その後縁側が膨出壁１１１の後壁１１３の前側に当接して膨出壁１１１内を２つに区画するようになっており、導入口１０４及び縦通路部１０８を左右に区画する縦区画部１１２ａと、傾斜通路部１０９を上下に区画する傾斜区画部１１２ｂと、傾斜通路部１０９の下流端側を左右に区画する下流端側区画部１１２ｃとを一体に備えている。下流端側区画部１１２ｃは、傾斜区画部１１２ｂの下流端側を２つに分岐させつつ下向きに延設して形成されている。
【００３９】
区画板１１２は、縦区画部１１２ａの上流端側に、導入口１０４よりも更に上側に突出する突出区画板１１９を一体に備えており、払い出し通路ユニット１０２を払い出し手段４８の下側に接続したとき、突出区画板１１９が払い出し手段４８側の払い出し口８４内に挿入されて側壁６５の下流端側に当接若しくは近接し、払い出し口８４内を左右の払い出し口８４Ｌ，８４Ｒに区画すると共に払い出し口８４Ｌと左導入口１０４Ｌ、払い出し口８４Ｒと右導入口１０４Ｒとを夫々連通させるようになっている。
【００４０】
突出区画板１１９は、払い出し口８４の後面８４ａの形状に対応して、その後縁側が前下がりの傾斜状に形成されている。また、突出区画板１１９の上縁側は尖形に形成されており、払い出し口８４側から払い出された遊技球を左右の導入口１０４Ｌ，１０４Ｒ側に滑らかに案内するようになっている。
【００４１】
左右の案内通路１０５Ｌ，１０５Ｒは、共に遊技球が１個ずつ通過できる程度の広さに形成されており、夫々遊技球を一列状に整列した状態で流下させるようになっている。また、導入口１０４は、膨出壁１１１側の導入口側壁１１１ａ及び導入口後壁１１１ｂ、仕切壁１１０側の導入口前壁１１０ｃが全て導入口１０４の内側に向けて傾斜状に形成されて払い出し手段４８側から案内通路１０５側に向けて徐々に狭くなるように形成されており、案内通路１０５よりも大きな断面積を有する払い出し口８４からの遊技球を案内通路１０５側に滑らかに案内しつつ一列状に整列させるようになっている。
【００４２】
更に、導入口１０４の前後に向かい合う壁面、即ち導入口後壁１１１ｂと導入口前壁１１０ｃとは、互いに異なる傾斜角、例えば導入口前壁１１０ｃよりも導入口後壁１１１ｂの方が傾斜角が大きくなるように構成されている。これにより、導入口１０４での球詰まりを効果的に防止できる。
【００４３】
案内通路１０５には、図６に示すように、その縦通路部１０８の前後方向、例えば後側に蛇行する蛇行通路部１２１が形成されている。この蛇行通路部１２１は、遊技球の速度を減速する減速手段を構成するもので、通路壁部材１０６側の仕切壁１１０の裏側に一体に突設された断面略山形状の蛇行案内突起１２２と、区画板１１２の縦区画部１１２ａの一部を後方に突出させた蛇行突出部１２３と、膨出壁１１１の後壁１１３の一部を更に後方に半円筒状に膨出させた蛇行膨出部１２４とで構成されている。
【００４４】
蛇行案内突起１２２は、上面１２２ａが後下がりの１／４円筒面、下面１２２ｂが上面１２２ａと対称な１／４円筒面に形成されており、後端部１２２ｃは上下面１２２ａ，１２２ｂの後端側をそれよりも小径の円筒面で滑らかに接続している。案内通路１０５内を流下する遊技球は、縦通路部１０８内を下向きに高速で落下中に蛇行通路部１２１に入り、ここで後側に蛇行する際に減速されて低速で傾斜通路部１０９側に流下するようになっている。
【００４５】
右案内通路１０５Ｒ内には、縦通路部１０８から傾斜通路部１０９への屈曲部１２５の上流側近傍に、仕切壁１１０と区画板１１２との内面側を互いに接続する案内リブ１２６が、遊技球の流下方向と略直角、即ち略水平に設けられている。案内リブ１２６の内縁側は、仕切壁１１０と区画板１１２とを滑らかに接続する１／４円弧状に形成されている。区画板１１２は屈曲部１２５、即ち縦区画部１１２ａと傾斜区画部１１２ｂとの接続部分において直角に近い角度で屈折しているが、遊技球は案内リブ１２６に案内されてその屈折部分に詰まることなく傾斜通路部１０９側に流下するようになっている。
【００４６】
なお、屈曲部１２５では、その外側の側壁は滑らかなＲ形状に形成されており、左案内通路１０５Ｌ側を流下する遊技球は縦通路部１０８側から傾斜通路部１０９側に向けてＲ形状に沿って滑らかに案内される。
【００４７】
膨出壁１１１の下流端側の底壁１２７は、傾斜通路部１０９の下面側、即ち膨出壁１１１の下側壁１１７ａよりも一段低く形成され、更に前下がりの傾斜状に形成されており、案内通路１０５を流下してきた遊技球を前向きに案内するようになっている。
【００４８】
また、左右の案内通路１０５Ｌ，１０５Ｒの下流端側には、夫々膨出壁１１１の底壁１２７と後壁１１３との内面側を互いに接続する案内リブ１２８Ｌ，１２８Ｒが、下流端側区画部１１２ｃと平行に設けられている。それら案内リブ１２８Ｌ，１２８Ｒの内縁側は、底壁１２７と後壁１１３とを滑らかに接続する１／４円弧状に形成されており、左右の案内通路１０５Ｌ，１０５Ｒを夫々流下してきた遊技球を前向きに滑らかに案内するようになっている。
【００４９】
また、仕切壁１１０の下流端側には、例えば図１３に示すように、左右の案内通路１０５Ｌ，１０５Ｒに対応して夫々通過孔１２９Ｌ，１２９Ｒが設けられている。通過孔１２９Ｌ，１２９Ｒは、共に遊技球が１個通過可能な大きさに形成されており、膨出壁１１１の底壁１２７及び案内リブ１２８Ｌ，１２８Ｒによって前向きに案内された遊技球を夫々前向きに通過させるようになっている。
【００５０】
更に、膨出壁１１１の底壁１２７の前側には、仕切壁１１０よりも更に前側まで延設された落下テーブル１３０が一体に設けられている。落下テーブル１３０の下側には、この落下テーブル１３０を下側から補強するように円弧状に湾曲する補強部１３０ａが、落下テーブル１３０の前端部から後述する溢流上部カバー１３１に跨がって形成されている。
【００５１】
通路カバー部材１０７の下部側には、図１１に示すように、溢流案内通路９２の上部側を後側から覆う溢流上部カバー１３１と、球抜き案内通路９４の上部側の一部分を後側から覆う球抜き上部カバー１３２とが一体に設けられている。更に、球抜き上部カバー１３２の左側部の例えば下端部には、電気ケーブル等を束ねて保持するケーブル集束手段１３３が例えば一体に設けられている。
【００５２】
溢流上部カバー１３１には、図１２及び図１３に示すように、その左右側縁部、及び上縁側の膨出壁１１１との境界部分に、仕切壁１１０の厚さと略同じ幅で前側に突出する突出リブ１３４が一体に設けられている。また、膨出壁１１１の上側壁１１７ｂの前縁側にも、仕切壁１１０の厚さと略同じ幅で前側に突出する突出リブ１３５が一体に設けられている。
【００５３】
通路壁部材１０６側の仕切壁１１０には、その傾斜板部１１０ｂの周囲に外向きに突出する嵌合凸部１３６が一体に設けられている。また、区画板１１２の後縁側には、後向きに突出する複数、例えば２つの嵌合突起１３７が一体に設けられている。
【００５４】
通路壁部材１０６と通路カバー部材１０７とは、図１３に示すように、仕切壁１１０の傾斜板部１１０ｂを突出リブ１３４，１３５の間に前側から嵌合させ、縦板部１１０ａの周縁部を膨出壁１１１の上部側前縁部に当接させることによって互いに係合する。このとき、通路壁部材１０６側の嵌合凸部１３６が通路カバー部材１０７側の突出リブ１３４，１３５に設けられた切り欠き部１３８に、通路壁部材１０６側の嵌合突起１３７が通路カバー部材１０７側の膨出壁１１１に設けられた嵌合孔１３９に、夫々嵌合するようになっている。
【００５５】
なお、通路壁部材１０６と通路カバー部材１０７には、その上端部近傍に、左右に張り出す取り付け部１０６ａ，１０７ａが一体に設けられており、通路壁部材１０６と通路カバー部材１０７とを互いに係合させたとき、それら取り付け部１０６ａ，１０７ａが前後に重なるようになっている。
【００５６】
前構造体１０１及び下部通路カバー１０３は、払い出し通路ユニット１０２側の仕切壁１１０、溢流上部カバー１３１、及び球抜き上部カバー１３２と共に払い出し案内通路９１の一部、溢流案内通路９２、遊技球回収通路９３、球抜き案内通路９４、回収案内通路９５、及び落下案内通路９６を構成している。
【００５７】
遊技球回収通路９３と回収案内通路９５とは、図５に示すように、下横板部２４ｂの左右方向の中央よりも左側に偏位して上下方向に配置され、この両通路９３，９５の右側に落下案内通路９６が配置されている。遊技球回収通路９３と回収案内通路９５とは、図８、図９等に示すように、裏機構板２４の下横板部２４ｂの上部側に後下がりの傾斜状に形成された傾斜壁部１４１と、この傾斜壁部１４１の左右両側から後方に下横板部２４ｂと一体に突出形成された左右一対の通路壁１４２，１４３と、この通路壁１４２，１４３間を後側から塞ぐ下部通路カバー１０３とによって構成されている。
【００５８】
遊技球回収通路９３の下端部は、裏機構板２４の下横板部２４ｂから下方に突出しており、その突出部分は後下がりの傾斜状に屈曲している。つまり、一対の通路壁１４２，１４３の下端部には、図８及び図９に示すように、縦方向の縦突条１４５を有する傾斜壁部１４６が形成され、下部通路カバー１０３側には、この傾斜壁部１４６に対応して膨出通路壁１４７が後側に膨らむように形成されている。なお、膨出通路壁１４７の内面には、縦方向の縦突条１４８が複数個形成されている。
【００５９】
球抜き案内通路９４は、図８及び図９に示すように、払い出し手段４８の球抜き通路７６から下方に延びる縦通路部１４９と、この縦通路部１４９の下端から屈曲して遊技球回収通路９３の上部側に通路壁１４３側から連通する傾斜通路部１５０とを備えた略Ｌ字状に形成されている。そして、この球抜き案内通路９４は、その縦通路部１４９が左縦板部２４ｃ側に、傾斜通路部１５０が下横板部２４ｂ側に夫々位置するように、裏機構板２４の下隅部に沿って配置されている。
【００６０】
球抜き案内通路９４は、裏機構板２４の左縦板部２４ｃ及び下横板部２４ｂと、この左縦板部２４ｃ及び下横板部２４ｂから後側に一体に突出して形成された内外一対の通路壁１５１，１５２と、この通路壁１５１，１５２間を後側から塞ぐ払い出し通路ユニット１０２側の仕切壁１１０、球抜き上部カバー１３２及び下部通路カバー１０３とによって構成されている。通路壁１５１，１５２の上端側には、払い出し手段４８の球抜き通路７６の外側に嵌合する嵌合リブ１５１ａ，１５２ａが一体に設けられている。
【００６１】
縦通路部１４９の下端部には、この縦通路部１４９内を落下する抜き取り球が衝突してその衝撃を緩和する緩衝突部１５３が、各通路壁１５１，１５２から縦通路部１４９内に突出するように一体に形成されている。各緩衝突部１５３は内側が下向きに傾斜した三角形であって、内側の通路壁１５１側の緩衝突部１５３がその下端に位置し、且つ外側の通路壁１５２側の緩衝突部１５３がこれよりも上側に位置するように、上下方向に間隔をおいて配置されている。
【００６２】
縦通路部１４９の右側には、払い出し通路ユニット１０２側の案内通路１０５の下流端側の前側に対応して落下通路部１５４が前後方向に設けられている。落下通路部１５４は、図８及び図９に示すように、球抜き案内通路９４の内側の通路壁１５１から開口部４５側に溢流案内通路９２の幅分だけ突出して一体形成された通路壁１５５と、通路壁１５１，１５５間に前下がり状に固定された受けテーブル１５６とにより構成されている。
【００６３】
落下通路部１５４は、図６に示すように、後側が上下方向の全長に亘って開口すると共に、前側の下部に開口部１５４ａを有し、その開口部１５４ａが遊技盤支承板４４側の角筒状の案内通路１５７に連通されている。案内通路１５７は前面板１４側の角筒状の案内通路１５８を介して上皿１５に連通されている。
【００６４】
払い出し通路ユニット１０２側の落下テーブル１３０から前向きに落下した遊技球は、受けテーブル１５６、案内通路１５７、案内通路１５８を介して上皿１５に排出される。
【００６５】
溢流案内通路９２は、図６、図９等に示すように、球抜き案内通路９４に対して開口部４５側、即ち、裏機構板２４の内側に、その球抜き案内通路９４に沿って略Ｌ字状に形成されている。そして、この溢流案内通路９２は、上端側が受けテーブル１５６の後側を経てその上側で落下通路部１５４に連通すると共に、落下案内通路９６の近傍において、上下方向の回収案内通路９５に対してその後側で左右方向に交差するように設けられている。
【００６６】
溢流案内通路９２は、図９等に示すように、通路壁１５１と、この通路壁１５１に対向して内側に一体に形成された通路壁１６１と、受けテーブル１５６の後端と通路壁１４２との間で一対の通路壁１５１，１６１間に一体に形成された前壁部１６２と、通路壁１５１，１６１間を後側から塞ぐ下部通路カバー１０３とにより構成されている。
【００６７】
溢流案内通路９２の通路壁１６１は傾斜壁部１４１を含む前壁部１６３まで前方に延びており、集球部３７の排出口３６からの遊技球を前壁部１６３と共に回収案内通路９５の上端に案内できるようになっている。
【００６８】
溢流案内通路９２と回収案内通路９５は、図９に示すように前後に重なった状態で交差しており、この両者は前壁部１６２によって前後に区画されている。
【００６９】
落下案内通路９６は、図５、図７〜図９に示すように、裏機構板２４の下横板部２４ｂと、通路壁１４２から横方向に延び且つ下横板部２４ｂから後側に一体に突出形成された上通路壁１７１と、この上通路壁１７１から下方に伸び且つ下横板部２４ｂから後側に一体に突出形成された垂下通路壁１７２と、これらの通路壁１４２、上通路壁１７１及び垂下通路壁１７２の後側を塞ぐ下部通路カバー１０３とによって、下側が開口するように構成されている。
【００７０】
落下案内通路９６には、その垂下通路壁１７２の内外両近傍に揺動レバー１７３と満杯検出スイッチ１７４とが配置され、その揺動レバー１７３と溢流案内通路９２の開口端との間に案内部材１７６が配置されている。揺動レバー１７３は垂下通路壁１７２の内側近傍で上部側が枢軸１７５により左右揺動自在に枢支されており、下皿１７内の遊技球が一定レベル（満杯）まで溜まった時に、その遊技球が下端部側に当たって外側に揺動するようになっている。枢軸１７５は裏機構板２４の下横板部２４ｂと下部通路カバー１０３との間に形成されている。
【００７１】
満杯検出スイッチ１７４は、図８等に示すように、垂下通路壁１７２の外側で裏機構板２４の下横板部２４ｂに固定され、揺動レバー１７３が外側に揺動した時に作動片１７４ａを介して作動し、下皿１７内の遊技球の満杯状態を検出して払い出し手段４８及び発射手段１８の発射モータを停止させるようになっている。なお、揺動レバー１７３の上端部側は、上通路壁１７１から垂下する保護板１７７により保護されている。
【００７２】
案内部材１７６は、溢流案内通路９２から落下案内通路９６内に落下する遊技球を下側に案内するためのものである。案内部材１７６は、図８に示すように、偏平面１７６ａと円弧面１７６ｂとを有する背面視形状が半月状であって、溢流案内通路９２の開口部と揺動レバー１７３との間の中央部分に配置され、且つ偏平面１７６ａ側で溢流案内通路９２からの遊技球を下側に案内するように、この偏平面１７６ａ側を溢流案内通路９２側に向けて若干下向きに傾斜させた状態で裏機構板２４の下横板部２４ｂに一体に形成されている。
【００７３】
前構造体１０１側の各通路壁１４２，１４３，１５１，１５２，１５５，１６１、上通路壁１７１及び垂下通路壁１７２は、図９に示すように、裏機構板２４の下横板部２４ｂから後側への突出量が同一であって、これらの後端に下部通路カバー１０３及び払い出し通路ユニット１０２が後側から当接するようになっている。
【００７４】
払い出し通路ユニット１０２側の球抜き上部カバー１３２には、図１０に示すように、球抜き案内通路９４に沿って前側に突出する嵌合突部１８１が形成されており、払い出し通路ユニット１０２を前構造体１０１に装着したとき、嵌合突部１８１が球抜き案内通路９４に後側から嵌合するようになっている。嵌合突部１８１は、下方に向けて徐々に突出量が大きくなるように前下がりの傾斜状に形成されている。
【００７５】
下部通路カバー１０３には、図１０に示すように、下部中央に遊技球回収通路９３の膨出通路壁１４７が形成されると共に、球抜き案内通路９４から遊技球回収通路９３に沿って嵌合突部１８２，１８３が、落下案内通路９６に対応する箇所に傾斜案内部１８４が、夫々前側に突出するように一体に形成されている。
【００７６】
傾斜案内部１８４は、落下案内通路９６内で下部通路カバー１０３の近傍を落下する遊技球を前側に案内するためのもので、前下がりの傾斜状に形成されている。傾斜案内部１８４の下端側は、下皿１７に対応して前枠４下部の後側に装着された連通路１８５に上側から嵌合されている。
【００７７】
下部通路カバー１０３の裏面側には、複数の取り付けボス１８８が後向きに突設され、この取り付けボス１８８に取り付け板５１がネジ等により着脱自在に装着されている。
【００７８】
前構造体１０１側には、通路壁１５１，１５２と一体に設けられた払い出し通路ユニット１０２装着用の複数、例えば３個の取り付けボス部１０１ａの他、下部通路カバー１０３装着用の複数の取り付けボス部１０１ｂが、通路壁１４２，１４３，１５１，１５２，１５５，１６１等と一体に、或いはそれら通路壁１４２等から独立して一体に形成されている。
【００７９】
下部通路カバー１０３は、嵌合突部１８２，１８３を夫々球抜き案内通路９４、遊技球回収通路９３に後側から嵌合させた状態で、それら取り付けボス部１０１ｂに対してネジ等の固定手段により着脱自在に装着されている。また、払い出し通路ユニット１０２は、通路壁部材１０６と通路カバー部材１０７とを前後に係合させた状態で、上部側に突出する突出区画板１１９を払い出し手段４８側の払い出し口８４内に下側から挿入し、更に嵌合突部１８１を球抜き案内通路９４に後側から嵌合させて、取り付け部１０６ａ，１０７ａ等を介して取り付けボス部１０１ａに対してネジ等の固定手段により着脱自在に装着されている。
【００８０】
上記構成において、ゲームに際しては、例えば遊技者が上皿カバー１６等に設けられた球貸しスイッチを操作すると、その操作に応じた払い出し指令が払い出し制御手段５２側に送られる。これにより、払い出し手段４８の繰り出しモータ６３が作動して回転体６２が回転し、遊技球タンク４６から球供給通路４７を経て供給された遊技球が貸球払い出し通路７８側に繰り出され、検出スイッチ８３で検出された後、突出区画板１１９により左右に区画された払い出し口８４Ｌ，８４Ｒを介して通路ユニット４９側に払い出される。
【００８１】
払い出し口８４Ｌ，８４Ｒから払い出された遊技球は、払い出し通路ユニット１０２の左右の導入口１０４Ｌ，１０４Ｒに夫々流入する。導入口１０４Ｌ，１０４Ｒは、下流側の案内通路１０５Ｌ，１０５Ｒに向けて徐々に狭くなるように形成されており、案内通路１０５よりも大きな断面積を有する払い出し口８４Ｌ，８４Ｒからの遊技球を一列状に整列させつつ案内通路１０５Ｌ，１０５Ｒ側に滑らかに案内する。
【００８２】
案内通路１０５Ｌ，１０５Ｒは、共に遊技球が１個ずつ通過できる程度の広さに形成されており、夫々遊技球は一列状に整列した状態でまず縦通路部１０８内を下向きに流下する。縦通路部１０８を流下する途中で、遊技球は蛇行通路部１２１を通過して減速され、低速の状態で屈曲部１２５を経て傾斜通路部１０９側を流下する。なお、屈曲部１２５を通過する際、案内通路１０５Ｒ側を流下する遊技球は案内リブ１２６により、案内通路１０５Ｌ側を流下する遊技球は側壁のＲ形状により夫々滑らかに傾斜通路部１０９側に案内される。
【００８３】
このように、案内通路１０５は区画板１１２によって２つの案内通路１０５Ｌ，１０５Ｒに区分されており、更にそれら案内通路１０５Ｌ，１０５Ｒは遊技球を一列状に整列させた状態で流下させるようになっているため、払い出し口８４から払い出された遊技球同士の衝突によるノイズの発生が抑えられる。
【００８４】
また、遊技球は蛇行通路部１２１で減速されて低速の状態で屈曲部１２５、傾斜通路部１０９を流下し、また屈曲部１２５においては案内リブ１２６や側壁のＲ形状によって滑らかに案内されるため、遊技球の壁面への衝突等によるノイズの発生が抑えられる。
【００８５】
更に、払い出し通路ユニット１０２は導電性樹脂により形成されているため、帯電した遊技球が払い出し通路ユニット１０２内を通過する際に、その遊技球の電荷が払い出し通路ユニット１０２から裏機構板２４側に流れ、この裏機構板２４等から緩やかに大気中に放電されるため、帯電した遊技球から発せられるノイズが制御基板に悪影響を及ぼす不具合を防止できる。
【００８６】
遊技者が発射ハンドル１９を把持して操作すると、発射手段１８が作動して上皿１５内の遊技球が１個ずつ発射される。発射された遊技球は、ガイドレール２６によって遊技盤１２の遊技領域２７の上部へと案内される。
【００８７】
遊技球が遊技領域２７を落下する間に大入賞手段３３等の入賞手段に入賞すると、その遊技球は遊技盤１２の裏側に通過して裏カバー３５下部の集球部３７上に落下し、排出口３６から通路ユニット４９の回収案内通路９５へと落下し、この回収案内通路９５から遊技球回収通路９３を経て島側に回収されて行く。
【００８８】
また、これと並行して払い出し制御手段５２の制御によって払い出し手段４８が作動し、その入賞に応じて所定数の遊技球を賞球として払い出す。このとき、払い出し手段４８内の払い出し切り替え手段７９は、繰り出し口７３と賞球払い出し通路７７とを連通させるように後側の揺動位置（図３の実線の位置）に保持されており、繰り出し口７３から繰り出された遊技球は賞球払い出し通路７７を通り、検出スイッチ８２で検出された後、払い出し口８４から通路ユニット４９側の払い出し通路ユニット１０２に流入する。払い出し通路ユニット１０２内に流入した遊技球は、貸球の場合と同様、導入口１０４、案内通路１０５、落下テーブル１３０、受けテーブル１５６、及び案内通路１５７，１５８を経由して上皿１５へ案内される。
【００８９】
上皿１５が満杯状態になると、上皿１５から案内通路１５８，１５７側にも受けテーブル１５６と同じ高さまで遊技球が溜まる。このため、その後に払い出し通路ユニット１０２側の落下テーブル１３０から落下する遊技球は、下側に貯留されている遊技球の上に落下した後、受けテーブル１５６の後端から溢流案内通路９２側へと溢流して、この溢流案内通路９２を経て落下案内通路９６内へと流れ、案内部材１７６、傾斜案内部１８４等に案内されて前枠４下部の連通路１８５を経て下皿１７へと案内される。
【００９０】
払い出し手段４８より上流側にある遊技球タンク４６、球供給通路４７内の遊技球を抜き取る場合には、図外の開閉操作機構を操作して球抜き手段７５を開放する。すると、球供給通路４７から遊技球タンク４６側の遊技球は、球供給通路４７から球抜き通路７６を介して下側へと抜き取られて行く。そして、この抜き取られた遊技球は、通路ユニット４９の球抜き案内通路９４の縦通路部１４９内を下方に落下し、傾斜通路部１５０を経て遊技球回収通路９３から島側へと回収される。
【００９１】
以上説明したように、本実施形態のパチンコ機では、案内通路１０５が、払い出し手段４８から払い出された遊技球を一列状に整列した状態で上皿１５側に案内するように構成されているため、払い出し手段４８から払い出された遊技球同士の衝突によるノイズの発生が抑えられ、制御基板等の誤動作を防止できる。
【００９２】
また、払い出し通路ユニット１０２に、遊技球の速度を減速させる減速手段としての蛇行通路部１２１を設けているため、遊技球同士の衝突や遊技球と通路壁との摩擦による遊技球への電荷の蓄積が緩和され、ノイズの発生を抑えて制御基板等の誤動作を防止できる。
【００９３】
蛇行通路部１２１は、遊技機本体１の前後方向に蛇行するように構成されているため、通路長が長くなるにも拘わらず払い出し通路ユニット１０２の幅を小さく抑えることができ、払い出し通路ユニット１０２を小型化できる。
【００９４】
導入口１０４は、払い出し手段４８側から案内通路１０５側に向けて狭くなるように形成しているため、払い出し手段４８からの遊技球を案内通路１０５側に滑らかに案内しつつ一列状に整列させることができる。
【００９５】
払い出し通路ユニット１０２は前構造体１０１や下部通路カバー１０３とは別に着脱可能となっているため、例えば案内通路１０５の通路壁の摩耗等による交換の際にはこの払い出し通路ユニット１０２のみを容易に交換することができ、下部通路カバー１０３と一体で交換する場合と比べてコストも低減できる。
【００９６】
払い出し通路ユニット１０２に、複数の案内通路１０５Ｌ，１０５Ｒ間を区画する区画板１１２を設けているため、案内通路１０５Ｌ，１０５Ｒを通過する遊技球が互いに衝突することがなく、遊技球同士の衝突によるノイズの発生が抑えられ、制御基板等の誤動作を防止できる。
【００９７】
払い出し手段４８は複数の払い出し口８４Ｌ，８４Ｒを並列に備え、それら複数の払い出し口８４Ｌ，８４Ｒと複数の案内通路１０５Ｌ，１０５Ｒとを個別に連通させているため、複数の払い出し口８４Ｌ，８４Ｒから払い出された遊技球を互いに衝突させることなく滑らかに各案内通路１０５Ｌ，１０５Ｒ側に案内できる。
【００９８】
区画板１１２は、導入口１０４から払い出し手段４８側に突出する突出区画板１１９を一体に備え、この突出区画板１１９により払い出し手段４８を複数の払い出し口８４Ｌ，８４Ｒに区画しているため、払い出し手段４８側の構成を簡単にできると共に、例えば突出区画板１１９の摩耗等によって部品交換が必要となった場合には払い出し通路ユニット１０２のみを交換すればよく、払い出し手段４８を交換する場合と比べてコストを格段に低減できる。
【００９９】
球抜き案内通路９４が仕切壁１１０を挟んで払い出し通路１０２に隣接して配置され、払い出し通路ユニット１０２は、複数の案内通路１０５Ｌ，１０５Ｒを区画する区画板１１２と仕切壁１１０とを一体に備えた通路壁部材１０６と、この通路壁部材１０６を取り付け可能な通路カバー部材１０７とを備えているため、通路壁の摩耗等により部品交換が必要な場合には、通路壁部材１０６と通路カバー部材１０７との何れか一方のみを交換することが可能で、払い出し通路ユニット１０２を一体で交換する場合と比べてコストを格段に低減できる。
【０１００】
案内通路１０５上の屈曲位置の近傍に、案内通路１０５を構成する隣接する２つの壁面の内面側を円弧状に滑らかに接続する案内リブ１２６を設けているため、縦通路部１０８から傾斜通路部１０９への屈曲位置での遊技球の詰まりを効果的に防止できる。
【０１０１】
払い出し通路ユニット１０２を導電性樹脂で形成しているため、帯電した遊技球が払い出し通路ユニット１０２内を通過する際に、その遊技球の電荷が払い出し通路ユニット１０２から例えば裏機構板２４側に流れ、この裏機構板２４等から緩やかに大気中に放電されるため、帯電した遊技球から発せられるノイズが制御基板に悪影響を及ぼす不具合を防止できる。
【０１０２】
図１４は本発明の第２の実施形態を例示し、払い出し手段４８を、２つの払い出し口８４Ｌ，８４Ｒの一方から賞球を、他方から貸球を夫々払い出すように構成し、払い出し通路ユニット１０２の左右の案内通路１０５Ｌ，１０５Ｒの一方側に賞球を、他方側に貸球を夫々通過させるようにした例を示している。
【０１０３】
払い出し手段４８の払い出し通路６６内には、図１４に示すように、ソレノイド等の図外の駆動手段の駆動により、前後方向の回転軸１９１ａを中心に左右に揺動する払い出し切り替え手段１９１が設けられている。この払い出し切り替え手段１９１は、払い出し制御手段５２の制御により、例えば賞球の払い出し時には左向きに、貸球の払い出し時には右向きに夫々揺動される。これにより、左右の収容室６７から繰り出された遊技球は、賞球の払い出し時には全て右側の払い出し口８４Ｒ側へ、貸球の払い出し時には全て左側の払い出し口８４Ｌ側へ夫々案内される。またこのとき、賞球は右側の検出スイッチ８２により、貸球は左側の検出スイッチ８３により夫々検出される。
【０１０４】
払い出し手段４８の左払い出し口８４Ｌから払い出された貸球は、払い出し通路ユニット１０２の左導入口１０４Ｌ側に流入し、左案内通路１０５Ｌを経由して上皿１５へ案内される。一方、払い出し手段４８の右払い出し口８４Ｒから払い出された賞球は、払い出し通路ユニット１０２の右導入口１０４Ｒ側に流入し、右案内通路１０５Ｒを経由して上皿１５へ案内される。
【０１０５】
以上のように、払い出し通路ユニット１０２内の２つの案内通路１０５Ｌ，１０５Ｒに、賞球と貸球とを別々に流入させるようにしてもよい。
【０１０６】
なお、払い出し手段４８を図１４に示すように構成し、払い出し切り替え手段１９１を、例えば普通入賞手段３４等に入賞したときのような賞球数の少ない小賞球を払い出す場合には左向きに、例えば大入賞手段３３等に入賞したときのような賞球数の多い大賞球を払い出す場合には右向きに、夫々揺動させ、小賞球を右払い出し口８４Ｒから右案内通路１０５Ｒ側へ、大賞球を左払い出し口８４Ｌから左案内通路１０５Ｌ側へ、夫々払い出すようにしてもよい。
【０１０７】
以上、本発明の各実施形態について詳述したが、各実施形態に限定されるものではなく、本発明の趣旨を逸脱しない範囲内で種々の変更が可能である。例えば、払い出し手段４８は賞球のみを払い出すものであってもよいし、払い出し室を１つしか備えていないもの、或いは３つ以上備えたものであってもよい。また、回転体６２により遊技球を繰り出す方式以外の方式を採用してもよい。
【０１０８】
賞球のみを払い出す賞球払い出し手段と、貸し球のみを払い出す貸し球払い出し手段とを夫々設け、それら賞球払い出し手段と貸し球払い出し手段とに夫々払い出し通路を設けてもよい。この場合、それら２つの払い出し通路を上記実施形態の払い出し通路ユニットの構成を適用してもよいし、何れか一方にのみ適用してもよい。特に、相対的に多くの遊技球を払い出す賞球払い出し手段側の払い出し通路側に上記実施形態の払い出し通路ユニットの構成を適用することがより望ましい。
【０１０９】
通路ユニット４９の例えば払い出し通路ユニット１０２上に、通過中の遊技球に帯電している電荷を取り除くためのアース用の電気的な接点を設けてもよい。例えば、導入口１０４、案内通路１０５、蛇行通路部１２１（減速手段）、仕切壁１１０若しくはその近傍にアース用の電気的な接点を設けてもよい。
【０１１０】
減速手段は、実施形態で示したような蛇行型のものに限られるものではない。例えば、通路をクランク型、Ｓ字型等に形成して減速手段としてもよい。減速手段は、例示した蛇行型、クランク型、Ｓ字型等のように、その入口と出口とで遊技球の流下方向を変化させずに速度を減速させるように構成することが望ましい。蛇行型やクランク型等の減速手段で水平な通路部分を設ける場合には、その水平通路部分の長さは遊技球の半径未満にすることが望ましい。
【０１１１】
また、減速手段は鉛直方向の通路上に設けることが望ましい。更には、実施形態のように、遊技球の流下方向が変化する部分の上流側近傍に減速手段を設けることが望ましい。
【０１１２】
案内通路１０５の形状は任意であり、例えば縦通路部１０８や傾斜通路部１０９を２つ以上備えたものであってもよい。案内通路１０５は３列以上設けてもよい。
【０１１３】
また、払い出し通路ユニット１０２の全体を導電性樹脂で構成する必要はなく、例えば通路壁部材１０６と通路カバー部材１０７との何れか一方のみを導電性樹脂で形成してもよい。また、その他の部材、例えば下部通路カバー１０３や前構造体１０１、裏機構板２４等についても導電性樹脂で形成することが望ましい。
【０１１４】
賞球と貸球、或いは小賞球と大賞球を別々の払い出し口側に切り替える機構としては、払い出し切り替え手段７９，１９１等の揺動部材を用いる以外の種々の機構を採用することが可能である。
【０１１５】
更に、実施形態では弾球遊技機としてパチンコ機を例に挙げて説明したが、アレンジボール機、雀球遊技機、その他の弾球遊技機であっても同様に実施可能であることは言うまでもない。
【０１１６】
【発明の効果】
本発明では、遊技球を払い出す払い出し手段４８と、該払い出し手段４８から払い出された遊技球を遊技球供給皿１５側に案内する払い出し通路１０２とを備え、払い出し通路１０２に、払い出し手段４８から払い出された遊技球を導入する導入口１０４と、該導入口１０４に導入された遊技球を遊技球供給皿１５側に案内する案内通路１０５とを設けた弾球遊技機において、案内通路１０５は、払い出し手段４８から払い出された遊技球を一列状に整列した状態で遊技球供給皿１５側に案内するように構成し、案内通路１０５は並行して複数設けられ、払い出し通路１０２に、複数の案内通路１０５Ｌ，１０５Ｒ間を区画する区画板１１２を設け、該区画板１１２は、導入口１０４から払い出し手段４８側に突出する突出区画板１１９を一体に備え、該突出区画板１１９により払い出し手段４８を複数の払い出し口８４Ｌ，８４Ｒに区画しているため、払い出し動作時の払い出し案内通路内での遊技球の壁面への衝突、遊技球同士の衝突等によるノイズの発生を抑え、制御基板等の誤動作を防止できる。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示す払い出し手段の側面断面図である。
【図４】本発明の第１の実施形態を示す払い出し手段と払い出し通路ユニットとの接続部分の背面断面図である。
【図５】本発明の第１の実施形態を示す裏機構板の下部側の部分断面背面図である。
【図６】図５のＡ−Ａ線矢視断面図である。
【図７】本発明の第１の実施形態を示す通路ユニット側の部分断面背面図である。
【図８】本発明の第１の実施形態を示す通路ユニットの前構造体の背面図である。
【図９】本発明の第１の実施形態を示す通路ユニットの前構造体の斜視図である。
【図１０】本発明の第１の実施形態を示す払い出し通路ユニット及び下部通路カバーの一部破断斜視図である。
【図１１】本発明の第１の実施形態を示す払い出し通路ユニットの分解斜視図である。
【図１２】本発明の第１の実施形態を示す払い出し通路ユニットの通路壁部材と通路カバー部材との内面側から見た正面図である。
【図１３】本発明の第１の実施形態を示す払い出し通路ユニットの斜視図である。
【図１４】本発明の第２の実施形態を示す払い出し手段と払い出し通路ユニットとの接続部分の背面断面図である。
【符号の説明】
１５    上皿（遊技球供給皿）
４８    払い出し手段
８４Ｌ，８４Ｒ    払い出し口
１０２    払い出し通路ユニット
１０４    導入口
１０５，１０５Ｌ，１０５Ｒ    案内通路
１１２    区画板
１１９    突出区画板
１２１    蛇行通路部（減速手段）
１２６    案内リブ
【図１】
0003734734.tif 000002
【図２】
0003734734.tif 000003
【図３】
0003734734.tif 000004
【図４】
0003734734.tif 000005
【図５】
0003734734.tif 000006
【図６】
0003734734.tif 000007
【図７】
0003734734.tif 000008
【図８】
0003734734.tif 000009
【図９】
0003734734.tif 000010
【図１０】
0003734734.tif 000011
【図１１】
0003734734.tif 000012
【図１２】
0003734734.tif 000013
【図１３】
0003734734.tif 000014
【図１４】
0003734734.tif 000015